(57)【特許請求の範囲】
【請求項１】
下部の環状のタンパーエビデントバンドと上部のキャップ本体を備え、ペットボトルの口部に装着される合成樹脂製キャップにおいて、
前記タンパーエビデントバンドは、キャップ本体との接合部側に隙間を有する剥がし口と、当該剥がし口から下端に向けて破線状に延びる第１の切り込みと、周方向に破線状に延び、剥がした後のタンパーエビデントバンドを輪状に展開可能とする第２の切り込みを備えていることを特徴とするタンパーエビデントバンド付き合成樹脂製キャップ。
【発明の詳細な説明】
【技術分野】
【０００１】  本発明は、タンパーエビデントバンド（以下、ＴＥバンド）をペットボトルから容易に取り外し可能とし、また、取り外したＴＥバンドを輪状にして自己のペットボトルの目印などに活用可能とするＴＥバンド付き合成樹脂製キャップに関する。
【背景技術】
【０００２】  使用済みのペットボトルに関して、資源の有効利用や環境問題の観点からもリサイクルの重要性がより一層求められる。図８にペットボトルの例を示す。
しかし、飲み終えてＰＥＴとプラスチック（キャップ、ラベル）を分別してゴミ箱に入れるものの、ペットボトルには、プラスチックであるＴＥバンドが残った状態なので、現状では、完全なＰＥＴとプラスチックの分別ができていない。
そこで、ＴＥバンドも容易に取り外すことができたら、完全なＰＥＴ（ペットボトル）とプラスチック（キャップ、ラベル、ＴＥバンド）の分別が消費者の段階で可能になるので、リサイクルの効率もより高まると考える。【０００３】  また、大勢がペットボトルを飲むような場面において、自分が飲んでいたペットボトルが分からなくなることがある。その解決策として、輪ゴムをしたり、マジックペンで印をしたりして自分の飲んでいたペットボトルが分かるようにすることもあるが、常に輪ゴムやマジックペンを持ち合わしてはいないので、如何にして自分のペットボトルを見分けられるようにするかで悩ましい。
そこで、本発明により、取り外したＴＥバンドを活用して目印等に用いることができたら、安心してペットボトルを飲むことができるようになると考える。【０００４】  現状では、取り外したＴＥバンドを活用するための方法等に関して、先行技術文献はなかった。【０００５】  ＴＥバンドの取り外しに関しては、特許文献１が報告されている。特許文献１では、ＴＥバンドを簡単に取り外せるように、ＴＥバンド自体を従来のベルト状とは異なる形にした上で、キャップとの接合面を少なくさせ、さらに、ＴＥバンドを引っ張って取り外せるように、つかみ部を備えている特徴がある。
【先行技術文献】
【特許文献】
【０００６】
【特許文献１】特開２００３−２６７４１１号公報
【発明の概要】
【発明が解決しようとする課題】
【０００７】  特許文献１では、ＴＥバンドそのものが従来のベルト状とは異なった形にしていることと、ＴＥバンドを引っ張って取り外すことができるように、つかみ部を備えていることに特徴がある。
よって、ＴＥバンドを取り外したとしても、他の形にすることは容易ではないため、ＴＥバンドを輪状に形成させ、従来の輪ゴム等での目印に代えての活用には難がある。また、引っ張り用のつかみ部が付いているため、開栓前に誤ってつかみ部を引っ張ってしまい、ＴＥバンドを取り外してしまうことも考えられる。【０００８】  本発明はＴＥバンドが従来のベルト状の形を維持しつつ、開栓してからは容易に取り外せ、さらに、取り外したＴＥバンドを目印等に活用できることに着目し、各機能を備えたＴＥバンド付き合成樹脂製キャップを提供することにある。
【課題を解決するための手段】
【０００９】  以上のような目的を達成するために、本発明は以下の技術を提供する。【００１０】  請求項１に係る発明は、下部の環状のＴＥバンドと上部のキャップ本体を備え、ペットボトルの口部に装着される合成樹脂製キャップにおいて、
前記ＴＥバンドは、キャップ本体との接合部側に隙間を有する剥がし口と、当該剥がし口から下端に向けて破線状に延びる第１の切り込みと、周方向に破線状に延び、剥がした後のＴＥバンドを輪状に形成可能とする第２の切り込みを備えていることを特徴とする。【００１１】  本発明によれば、開栓前のＴＥバンドに備えた剥がし口は、キャップと接合されていて隙間はほとんどないので、剥がし口に人の手が入り、誤ってＴＥバンドが取り外されることは想定し難い。また、従来のＴＥバンドに剥がし口を作るので、新たな部材を作るための材料は必要ない。剥がし用切り込みに沿ってＴＥバンドを容易に剥がすことができる。【００１２】  本発明によれば、ＴＥバンドに周方向に沿って予め切り込みを入れて、剥がし後のＴＥバンドを輪状に形成することで、ペットボトルに輪ゴムのような装着を可能にする。自己のペットボトルを他のペットボトルと識別する識別バンドとして活用できる。切り込みの入れ方次第で様々な大きさにすることができるので、用途が広がる。
【図面の簡単な説明】
【００１３】
【図１】本発明の第１実施形態を示すもので、開栓前のＴＥバンドとキャップ本体が接合している状態のキャップを示した立体斜視図である。
【図２】図１に示すＴＥバンドについて、ペットボトルから取り外す過程を説明した図であり、（Ａ）はペットボトルから取り外す前の状態を示す図、（Ｂ）はペットボトルから取り外した後の状態を示す展開図、（Ｃ）は取り外したＴＥバンドの切り込みを割いて輪状にした様子を示した図である。
【図３】図２に示す輪状にしたＴＥバンドを、ペットボトルの飲み口付近に装着した様子を示した図である。
【図４】本発明の第２実施形態を示すもので、ＴＥバンドについて、ペットボトルから取り外す過程を説明した図で、（Ａ）はペットボトルから取り外す前の状態を示す図、（Ｂ）はペットボトルから取り外した後の状態を示す展開図である。
【図５】図４に示す輪状にしたＴＥバンドを、ペットボトルの持ち手に装着した様子を示した図である。
【図６】フックについて説明した図で、（Ａ）はキャップとペットボトルに、フックを備えた様子を示した図、（Ｂ）は図２の輪状にしたＴＥバンドを、フックに取り付けた様子を示した図である。
【図７】本発明の第３実施形態を示す図で、ＴＥバンドについて、ペットボトルから取り外す過程を説明した図で、（Ａ）はペットボトルから取り外す前の状態を示す図、（Ｂ）はペットボトルから取り外した後の状態を示す展開図である。
【図８】従来のペットボトルを示す説明図である。
【発明を実施するための形態】
【００１４】  本発明の要旨は、ＴＥバンドの、キャップ本体との接合部側に人の手で取り外すことができる剥がし口と、剥がし口から続く剥がし用の切り込みと、取り外したＴＥバンドを輪状に形成できるように、人の手で割くことができる切り込みを備えることを特徴とする。
【００１５】  開栓前の剥がし口は、ＴＥバンドがキャップと接合され、容易に触れることができないので、ＴＥバンドを誤って取り外してしまうことは考え難いが、開栓後は剥がし口に容易に触れられるので、いつでもＴＥバンドは取り外すことができる。
すなわち、ペットボトルを飲み終えて、ペットボトルを捨てる際は、キャップやラベルの分別ばかりでなく、ＴＥバンドも人の手で容易に取り外せるので、消費者の段階で完全なＰＥＴとプラスチックの分別が実現できる。
さらに、ペットボトルの所有を分かり易くするための目印としての輪ゴムに代えて、開栓後は不要となるＴＥバンドに切り込みを入れて輪状に形成することで、更なる活用を図ろうとするものである。
【００１６】  以下、本発明の第１実施形態について、図面を参照しながら説明する。
【００１７】  キャップは合成樹脂製であり、図１に示すように、下部のＴＥバンド１と上部のキャップ本体２から構成されている。ＴＥバンド１は、キャップ本体２との接合部側（下端）に人の手で取り外すことができる剥がし口１ａおよび剥がし用切り込み１ｂと、取り外したＴＥバンド１を輪状に形成できるように、人の手で割くことができる切り込み１ｃが設けられている。
【００１８】  剥がし口１ａは、キャップ本体２との接合部側に小さな隙間を作り、剥がし口１ａからＴＥバンド１の下端に延びる破線状の切り込み１ｂに沿ってＴＥバンド１を容易に剥がすことができる。切り込み１ｃは、切込み１ｂの両脇に非切り込み部を残して、ＴＥバンド１の周方向に沿って全周近くに延びている。図１に示した切り込み１ｃは、ＴＥバンド１を輪状にするための最も単純な切り込みである。
【００１９】  開栓後にＴＥバンド１を取り外す様子と取り外したＴＥバンド１を輪状に形成する様子を図２で説明する。開栓後にキャップ本体２と分離したＴＥバンド１は、図２（Ａ）の状態でペットボトル３に残る。そこで、ＴＥバンド１に備えた剥がし口１ａおよび剥がし用切り込み１ｂを使って人の手でペットボトル３から取り外すと、図２（Ｂ）のように展開できる。さらに、ＴＥバンド１に備えてある破線状の切り込み１ｃを人の手で割くと、図２（Ｃ）のようにＴＥバンド１を輪状に形成できる。
【００２０】  輪状に形成したＴＥバンド１は、図３のようにペットボトル３に装着して、従来の輪ゴムに代えて自己のペットボトルを他のペットボトルと区別する目印として活用できる。ＴＥバンド１を活用しなくても、飲み終わった際には、ペットボトル３から容易に取り外せるので、ＰＥＴとプラスチックを完全に分別できる。
【００２１】  図４は本発明の第２実施形態を示す。本実施形態のＴＥバンド１は、前記の第１実施形態を示す図１、図２、図３で形成した輪の円周より大きく作ることができる。図４に示すＴＥバンド１について、以下説明する。
【００２２】  図４に示すＴＥバンド１は、実施形態１と同様に、剥がし口１ａと、剥がし用切り込み１ｂと、剥がし後のＴＥバンド１を輪状に形成するための切り込み１ｃが設けられている。剥がし用切り込み１ｂは、剥がし口１ａから下方に途中まで延びて周方向に略全周近くまで一周し、そこから下方に延びて下端に達している。輪状形成用の切り込み１ｃは、剥がし用切り込み１ｂの上端付近と下端付近に非切り込み部を残して切り込み１ｂと平行に略二周近く延びている。
【００２３】  開栓前は、図４（Ａ）の状態でキャップ本体２と接合している。開栓してペットボトル３から、剥がし用切り込み１ｂに沿ってＴＥバンド１を取り外すと、図４（Ｂ）のように展開でき、ＴＥバンド１に備えてある切り込み１ｃを割いて、輪状に形成する。この輪状のＴＥバンド１は、図１、図２、図３で形成した輪の円周より大きく作ることができるため、図５のようにして、ペットボトル３の持ち手にも装着が可能である。
【００２４】  また、ペットボトル３に装着するだけでなく、図６（Ａ）に示すように、キャップ本体２とペットボトル３にフック４があれば、作った輪を図６（Ｂ）のようにフック４に掛けるなどして、簡易な鍵にできる。仮に他人が間違って飲もうとしても簡易な鍵が気付かせてくれるので、誤飲防止にもなり安心できる。
【００２５】  すなわち、輪状にしたＴＥバンド１は、単にペットボトル３に装着して目印としての活用以外にも、キャップ２の誤開閉や誤飲防止を図る活用が考えられる。
【００２６】  図７は、本発明の第３実施形態を示すもので、図４、図５で示した輪状のＴＥバンド１よりもさらに大きな円周になる。
【００２７】  図７に示すＴＥバンド１は、キャップ本体２との接合部側に剥がし口１ａ、剥がし口１ａから下方に途中まで延びて周方向に略一周し、そこから下方に延びて下端に達する剥がし用切り込み１ｂ、剥がし用切り込み１ｂに沿って平行に、ＴＥバンド１を輪状に形成するための複数本（３本）の切り込み１ｃが設けられている。このように、輪の円周は、ＴＥバンド１に入れる切り込み方次第で幾通りもできる。
【００２８】  以上、本発明の好ましい実施形態について説明したが、本発明は特定の実施形態に限定されるものではなく、特許請求の範囲に記載された本発明の要旨の範囲内において、種々の変形・変更が可能である。
【符号の説明】
【００２９】１    タンパーエビデントバンド（ＴＥバンド）
１ａ  剥がし口
１ｂ  剥がし用切り込み（第１の切り込み）
１ｃ  輪状形成用切り込み（第２の切り込み）
２    キャップ本体
３    ペットボトル
４    フック
【要約】
【課題】ＴＥバンドをペットボトルから容易に取り外せ、取り外したＴＥバンドを輪状に形成して活用することが可能なＴＥバンド付き合成樹脂製キャップを提供する。
【解決手段】キャップ下部のＴＥバンド１は、人手で取り外せる剥がし口１ａをキャップ本体２との接合部に備えることで、開栓前に剥がし口１ａに人の手が入ることはなくなり、つかみ部を有した場合等に生じる誤開栓を防止できる。取り外したＴＥバンド１を従来の輪ゴムに代えて目印等に活用するために、人の手で容易に割いて輪状を形成できるように、ＴＥバンド１に切り込み１ｃを備える。従来のベルト状の形に備えることができるので、新たな材料は必要ない。
【選択図】図１【図１】
0006746265.tif 000002
【図２】
0006746265.tif 000003
【図３】
0006746265.tif 000004
【図４】
0006746265.tif 000005
【図５】
0006746265.tif 000006
【図６】
0006746265.tif 000007
【図７】
0006746265.tif 000008
【図８】
0006746265.tif 000009